(57)【要約】【課題】無線タグが貼り付けられた封筒が複数束ねて重ねられた場合でも良好に電波の受発信を行う。【解決手段】封筒に貼り付けられる本願の無線タグは、スペーサ２に無線タグ本体３とアンテナ４とがベースシート５によって貼り付けられが、その際、アンテナ４をスペーサ２の底面ａに配設する構成とする。【選択図】図２
2005157646.tif 000002
【特許請求の範囲】
【請求項１】
読取装置に非接触で読み取られる識別符号が記録された無線タグであって、
上記無線タグ本体が貼り付けられるスペーサと、
このスペーサに貼り付けられた無線タグ本体が上記読取装置に非接触で読み取られる際に上記読取装置に設けられたアンテナに対向する位置となる面の上記スペーサに設けられ、上記無線タグ本体に接続されたアンテナと、
を具備することを特徴とする無線タグ。
【請求項２】
読取装置に非接触で読み取られる識別符号が記録された無線タグであって、
上記無線タグ本体が貼り付けられるスペーサと、
このスペーサに対して第１の方向に設けられ、上記無線タグ本体に接続された第１のアンテナと、
上記スペーサに対して上記第１の方向とは異なった第２の方向に設けられ、上記無線タグ本体に接続された第２のアンテナと、
を具備することを特徴とする無線タグ。
【発明の詳細な説明】
【技術分野】
【０００１】
この発明は、読取装置と無線周波帯の搬送波を用いて受送信する無線タグに関する。
【背景技術】
【０００２】
読取装置と無線周波帯の搬送波を用いて受送信する無線タグ（ＲＦＩＤ）が、近年、利用されつつある。
【０００３】
このような無線タグでは、読取装置との受送信におけるアンテナの感度の向上が図られている（例えば、特許文献１）。
【０００４】
しかしながら、例えば、封筒に貼り付けられた無線タグなどで、封筒を複数束ねて重ねられた場合、電波の受発信が悪くなるという問題があった。
【特許文献１】特開２０００−３３２５２３号公報
【発明の開示】
【発明が解決しようとする課題】
【０００５】
上記したように、封筒に貼り付けられた無線タグなどで、封筒を複数束ねて重ねられた場合、電波の受発信が悪くなるという問題があった。
【０００６】
この発明の目的は、無線タグが貼り付けられた封筒が複数束ねて重ねられた場合でも良好に電波の受発信を行うことのできる無線タグを提供することである。
【課題を解決するための手段】
【０００７】
この発明の無線タグは、読取装置に非接触で読み取られる識別符号が記録された無線タグであって、上記無線タグ本体が貼り付けられるスペーサと、このスペーサに貼り付けられた無線タグ本体が上記読取装置に非接触で読み取られる際に上記読取装置に設けられたアンテナに対向する位置となる面の上記スペーサに設けられ、上記無線タグ本体に接続されたアンテナとから構成されている。
【発明の効果】
【０００８】
本発明の無線タグ（ＲＦＩＤ）は、封筒に貼り付けられ、それらの封筒が束ねて重ねられても良好に電波の受発信を行うことができる。
【発明を実施するための最良の形態】
【０００９】
以下、図面を参照して、この発明の実施の形態について詳細に説明する。
【００１０】
図１は、この発明に係る無線タグ（ＲＦＩＤ）を用いた読取装置２０の外観構成を示すものである。封筒１には、図示しない無線タグが貼り付けられたスペーサ２が貼り付けられている。複数の封筒１が束ねられ、保管箱１０に入れられる。この保管箱１０が読取装置２０上に置かれた際、読取装置２０の上面内部に設けられたアンテナ（図示しないが、１つまたは複数設けられている）を介して各封筒１に貼り付けられた無線タグに記録されている情報（識別符号等）が読み取られる。
【００１１】
この際、各封筒１とスペーサ２の図上ａ面が底面となって読取装置２０に置かれる構成となっている。
【００１２】
図２は、この発明の第１実施例に係る無線タグ（ＲＦＩＤ）が貼り付けられたスペーサ２の構成を示すものである。図に示すように、無線タグ本体３とアンテナ４が、スペーサ２にベースシート５によって貼り付けられている。本発明の無線タグは、図に示すように、アンテナ４がスペーサ２の底面ａに設けられている。
【００１３】
図３は、従来の構成を示すもので、無線タグ本体３とアンテナ４が、ベースシート５によってスペーサ２に貼り付けられている。従来の無線タグは、図に示すように底面ａに対して側面にアンテナ４があるので、読取装置２０のアンテナとの間に距離が発生する。そのため、図１に示すように複数の封筒１が束ねられて重ねられた状態では、電波の受発信が良くないという問題が生じる。また、封筒１の底に金属類があった場合など、電波の受発信が妨げられる。
【００１４】
すなわち、本願の第１実施例に係る無線タグは、図２に示すように底面ａにアンテナ４が配置されたことにより、アンテナ４と読取装置２０のアンテナ（図示せず）との距離が最短となって良好な電波の受発信を行うことができる。
【００１５】
また、上述した構成により、束ねた封筒１の１つ１つに貼り付けられた無線タグの読取性能を向上させることができる。
【００１６】
また、封筒１の底辺に金属類があったとしても、アンテナ間での電波の受発信を妨げられることがない。
【００１７】
図４は、この発明の第２実施例に係る無線タグ（ＲＦＩＤ）が貼り付けられたスペーサ２の構成を示すものである。無線タグ本体３は、図上のＸＹＺ方向に対し、Ｘ方向に対するアンテナ６とＹ方向に対するアンテナ７とを有し、ベースシート５によってスペーサ２に貼り付けられている。
【００１８】
すなわち、本願の第２実施例に係る無線タグは、図４に示すように２方向のどちらでも良好に受発信を行うことができる。それによって、読取装置２０のアンテナ設計の自由度を上げることができる。
【００１９】
以上説明したように上記発明の実施の形態によれば、束ねて重ねられた封筒の１つ１つに貼り付けられた無線タグ（ＲＦＩＤ）の読取性能を向上させることができる。
【００２０】
また、無線タグの読取装置のアンテナ設計における自由度を上げることができる。
【００２１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００２２】
【図１】この発明に係る無線タグを用いた読取装置の外観構成を示す図。
【図２】第１実施例に係る無線タグが貼り付けられたスペーサの構成を示す図。
【図３】従来の構成を示す図。
【図４】第２実施例に係る無線タグが貼り付けられたスペーサの構成を示す図。
【符号の説明】
【００２３】
１…封筒、２…スペーサ、３…無線タグ本体、４，６，７…アンテナ、５…ベースシート、１０…保管箱、２０…読取装置。
【図１】
2005157646.tif 000003
【図２】
2005157646.tif 000004
【図３】
2005157646.tif 000005
【図４】
2005157646.tif 000006